(57)【要約】【課題】  国家／地域によって自動で現在時間を設定できる時間情報処理装置及び方法を提供する。【解決手段】  放送信号に含まれた標準時間情報を復調する復調部と、国家／地域別時差情報を含む時間テーブルを保存する第１メモリ部と、前記復調された標準時間情報と前記時差情報とを通じて該当国家／地域の現在時間を設定する制御部と、を含む時間情報処理装置。【選択図】  図３
2005315881.tif 000002
【特許請求の範囲】
【請求項１】
放送信号に含まれた標準時間情報を復調する復調部と、
国家／地域別時差情報を含む時間テーブルを保存する第１メモリ部と、
前記復調された標準時間情報と前記時間テーブルから抽出された時差情報とを通じて該当国家／地域の現在時間を設定する制御部と、を含むことを特徴とする時間情報処理装置。
【請求項２】
前記制御部は、事前セットされた国家／地域コード値を用いて前記時差情報を前記時間テーブルから抽出することを特徴とする請求項１に記載の時間情報処理装置。
【請求項３】
前記抽出された時差情報を保存する第２メモリ部をさらに含むことを特徴とする請求項２に記載の時間情報処理装置。
【請求項４】
前記制御部は、前記第２メモリ部に保存された時差情報及び前記復調された標準時間情報を通じて現在時間を設定し、ディスプレイ部を通じてディスプレイさせることを特徴とする請求項３に記載の時間情報処理装置。
【請求項５】
放送信号に含まれた標準時間情報を復調する復調部と、
所定の伝送媒体を通じて該当国家／地域の現在時間情報を受信する現在時間情報受信部と、
前記復調された標準時間情報と前記受信された現在時間情報とを通じて該当国家／地域の時差情報を算出し、前記復調された標準時間情報と前記算出された時差情報とを用いて現在時間をディスプレイさせる制御部と、を含むことを特徴とする時間情報処理装置。
【請求項６】
前記伝送媒体は、電源ケーブルよりなることを特徴とする請求項５に記載の時間情報処理装置。
【請求項７】
前記算出された時差情報を保存する第３メモリ部をさらに含むことを特徴とする請求項６に記載の時間情報処理装置。
【請求項８】
前記制御部は、前記第３メモリ部に保存された時差情報と前記復調された標準時間情報とを通じて現在時間を設定することを特徴とする請求項７に記載の時間情報処理装置。
【請求項９】
放送信号に含まれた標準時間情報を復調する段階と、
国家／地域別時差情報を含む時間テーブルから該当国家／地域の時差情報を抽出する段階と、
前記抽出された時差情報と前記復調された標準時間情報とを通じて該当国家／地域の現在時間を設定する段階を含むことを特徴とする時間情報処理方法。
【請求項１０】
前記抽出された時差情報を保存する段階をさらに含むことを特徴とする請求項９に記載の時間情報処理方法。
【請求項１１】
前記設定された現在時間をディスプレイする段階をさらに含むことを特徴とする請求項１０に記載の時間情報処理方法。
【請求項１２】
放送信号に含まれた標準時間情報を復調する段階と、
所定の伝送媒体を通じて該当国家／地域の現在時間情報を受信する段階と、
前記受信された現在時間情報と前記復調された標準時間情報とを通じて該当国家／地域の時差情報を算出し、前記復調された標準時間情報と前記算出された時差情報とを用いて現在時間をディスプレイする段階と、を含むことを特徴とする時間情報処理方法。
【請求項１３】
前記伝送媒体は、電源ケーブルよりなることを特徴とする請求項１２に記載の時間情報処理方法。
【請求項１４】
前記算出された時差情報を保存する段階をさらに含むことを特徴とする請求項１３に記載の時間情報処理方法。
【発明の詳細な説明】
【技術分野】
【０００１】
本発明は、時間情報処理装置及び方法に係り、より詳細には、国家／地域によって自動で現在時間を設定しうる時間情報処理装置及び方法に関する。
【背景技術】
【０００２】
一般的にセットトップボックスなどの放送受信装備は、チューナーを通じて受信される放送信号を復調して映像信号と音声信号とを得て、前記映像信号と音声信号とを所定のディスプレイ機器に伝送して、ユーザが放送を視聴できるようにする。
【０００３】
このような放送受信装備は、現在時間をチェックし、必要によって前記現在時間を前記ディスプレイ機器を通じてディスプレイしうる。
したがって、ユーザは、前記現在時間を通じて各種予約機能を行える。
【０００４】
前記放送受信装備は、現在時間をチェックして前記ディスプレイ機器上にディスプレイする時、主に単一国家／地域に該当する現在時間だけをディスプレイすべく構成されている。
したがって、前記放送受信装備を他の国家／地域で使用しようとする場合、該当する国家／地域によって現在時間を再設定しなければならない煩わしさがある。
【０００５】
図１は、従来の技術による時間情報処理装置が示された図面であって、放送信号を受信するチューナー部１０と、前記放送信号に含まれた標準時間情報を復調する復調部２０と、ユーザにより時差情報が入力されるユーザ入力部３０と、前記入力された時差情報と前記復調された標準時間情報とを通じて該当国家／地域の現在時間を設定する制御部４０とを含みうる。
【０００６】
また、前記復調された標準時間情報をディスプレイするディスプレイ部５０と、前記復調された標準時間情報を保存するメモリ部６０とをさらに含みうる。
したがって、ユーザは、前記ディスプレイ部５０を通じてディスプレイされる標準時間情報を確認し、前記時差情報を入力しうる。
【０００７】
前記入力された時差情報は、前記標準時間情報と共に前記メモリ部６０に保存され、場合によって別途のメモリに保存されうる。
【０００８】
前記制御部４０は、ユーザにより入力された時差情報と前記標準時間情報とを通じて現在時間を設定し、前記設定された現在時間を前記ディスプレイ部５０を通じてディスプレイさせる。
【０００９】
前記のように構成される従来の技術による時間情報処理装置の動作を説明すれば次の通りである。
【００１０】
従来の技術による時間情報処理方法は、図２に示されたように、まず前記チューナー部１０に受信された放送信号に含まれた標準時間情報を前記復調部２０が復調する（Ｓ１１）。
前記復調の結果で得られた標準時間情報が、前記メモリ部６０に保存される（Ｓ１２）。
【００１１】
前記制御部４０は、前記保存された標準時間情報を前記ディスプレイ部５０にディスプレイさせる（Ｓ１３）。
【００１２】
ユーザは、前記ディスプレイされた標準時間情報を確認した後、該当する国家／地域の時差情報を前記ユーザ入力部３０を通じて入力する（Ｓ１４）。
【００１３】
前記制御部４０は、前記入力された時差情報と前記標準時間情報とを通じて現在時間を設定する（Ｓ１５）。
前記制御部４０は、前記設定された現在時間を前記ディスプレイ部５０を通じてディスプレイさせ、ユーザが前記現在時間を確認できるようにする。
【００１４】
しかし、前記のような従来の時間情報処理装置及び方法は、ユーザが該当国家／地域による現在時間を設定するために、時差情報及び加減情報を何れも知らねばならないために、ユーザの便宜が阻害される問題点がある。
【００１５】
また、前記国家／地域が変わる度に、前記現在時間を再設定せねばならない煩わしさがある。
【００１６】
特許文献１は、衛星放送情報が受信されてデコーディングを経れば、衛星放送情報のうち、時間情報テーブルを受信して、標準時間／日情報をデコーディングすると共に保存して、標準時間に時差またはサマータイム時差値を合わせて、現在時間／日付を画面上に表示する時間情報処理方法に関するものであって、これは衛星放送情報を受信する場合にのみ現在時間／日付を表示できるために、衛星放送情報を受信され得ない場合、現在時間／日付を表示し難いという問題点がある。
【特許文献１】韓国公開特許１９９９−０６０４８８号公報
【発明の開示】
【発明が解決しようとする課題】
【００１７】
本発明は、放送信号に含まれた標準時間情報と各国家／地域に該当する時差情報とを通じて該当国家／地域によって現在時間を自動設定しうる時間情報処理装置及び方法を提供するところにその目的がある。
【００１８】
本発明の目的は、前記で言及した目的に限定されず、言及しなかったさらに他の目的は下の記載から当業者ならば明確に理解できる。
【課題を解決するための手段】
【００１９】
前記目的を達成するための本発明の実施例に係る時間情報処理装置は、放送信号に含まれた標準時間情報を復調する復調部と、国家／地域別時差情報を含む時間テーブルを保存する第１メモリ部と、前記復調された標準時間情報と前記時間テーブルから抽出された時差情報とを通じて該当国家／地域の現在時間を設定する制御部と、を含む。
【００２０】
望ましくは、前記制御部は、事前セットされた国家／地域コード値を用いて前記時差情報を前記時間テーブルから抽出する。
【００２１】
望ましくは、前記抽出された時差情報を保存する第２メモリ部をさらに含む。
【００２２】
望ましくは、前記制御部は、前記第２メモリ部に保存された時差情報及び前記復調された標準時間情報を通じて現在時間を設定してディスプレイ部を通じてディスプレイさせる。
【００２３】
また、本発明の実施例に係る時間情報処理装置は、放送信号に含まれた標準時間情報を復調する復調部と、所定の伝送媒体を通じて該当国家／地域の現在時間情報を受信する現在時間情報受信部と、前記復調された標準時間情報と前記受信された現在時間情報とを通じて該当国家／地域の時差情報を算出し、前記復調された標準時間情報と前記算出された時差情報とを用いて現在時間をディスプレイさせる制御部と、を含む。
【００２４】
望ましくは、前記伝送媒体は、電源ケーブルよりなる。
【００２５】
望ましくは、前記算出された時差情報を保存する第３メモリ部をさらに含む。
【００２６】
望ましくは、前記制御部は、前記第３メモリ部に保存された時差情報と前記復調された標準時間情報とを通じて現在時間を設定する。
【００２７】
また、本発明の実施例に係る時間情報処理方法は、放送信号に含まれた標準時間情報を復調する段階と、国家／地域別時差情報を含む時間テーブルから該当国家／地域の時差情報を抽出する段階と、前記抽出された時差情報と前記復調された標準時間情報とを通じて該当国家／地域の現在時間を設定する段階と、を含む。
【００２８】
望ましくは、前記抽出された時差情報を保存する段階をさらに含む。
【００２９】
望ましくは、前記設定された現在時間をディスプレイする段階をさらに含む。
【００３０】
また、本発明の実施例に係る時間情報処理方法は、放送信号に含まれた標準時間情報を復調する段階と、所定の伝送媒体を通じて該当国家／地域の現在時間情報を受信する段階と、前記受信された現在時間情報と前記復調された標準時間情報とを通じて該当国家／地域の時差情報を算出し、前記復調された標準時間情報と前記算出された時差情報とを用いて現在時間をディスプレイする段階と、を含む。
【００３１】
望ましくは、前記伝送媒体は、電源ケーブルよりなる。
【００３２】
望ましくは、前記算出された時差情報を保存する段階をさらに含む。
【００３３】
その他の実施例の具体的な事項は詳細な説明及び図面に含まれている。
【発明の効果】
【００３４】
本発明の時間情報処理装置及び方法によれば、各国家／地域によって標準時間情報と時差情報とを通じて自動で現在時間を設定できるために、ユーザが直接現在時間を設定せねばならない面倒さが解消されて、ユーザの便宜性が向上しうる。
【発明を実施するための最良の形態】
【００３５】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００３６】
以下、添付された図面を参照して本発明の望ましい実施例を詳細に説明する。
【００３７】
図３は、本発明の実施例に係る時間情報処理装置が示された図面である。
本発明の実施例に係る時間情報処理装置は、放送信号を受信するチューナー部１１０と、放送信号に含まれた標準時間情報を復調する復調部１２０と、各国家／地域別時差情報を含む時間テーブルを保存する第１メモリ部１３０と、復調された標準時間情報と時差情報とを通じて該当する国家／地域の現在時間を設定する制御部１４０と、を含みうる。
【００３８】
また、ユーザの入力選択値が入力されるユーザ入力部１５０と、ユーザの入力選択値に係る国家／地域の時差情報を保存する第２メモリ部１６０と、制御部１４０により設定された現在時間をディスプレイするディスプレイ部１７０とをさらに含みうる。
【００３９】
この際、制御部１４０は、前記入力選択値によって該当する国家／地域を判断し、時間テーブルから該当国家／地域による時差情報を抽出して第２メモリ部１６０に保存しうる。
該当国家／地域による所定のコード値が予めセットされた装備の場合、制御部１４０は前記コード値を用いて時間テーブルから該当国家／地域による時差情報を抽出しうる。
【００４０】
ここで、第１メモリ部１３０及び第２メモリ部１６０は、物理的に１つのチップに形成されても、別途に形成されても良い。
また、第１メモリ部１３０及び第２メモリ部１６０は、キャッシュ、ＲＯＭ、ＰＲＯＭ、ＥＰＲＯＭ、ＥＥＰＲＯＭ、フラッシュ、ＳＲＡＭ及びＤＲＡＭのような形の装置が含まれうるが、これに限定されるものではない。
【００４１】
標準時間情報は、前記放送信号のトランスポートストリームパケットのＰＩＤ（Ｐａｃｋｅｔ  ＩＤｅｎｔｉｆｉｅｒ）内にある時間情報テーブル（Ｔｉｍｅ  Ｄａｔａ  Ｔａｂｌｅ）に含まれうる。
【００４２】
したがって、復調部１２０は、時間情報テーブルに含まれる情報を復調して前記標準時間情報を得られる。
このような標準時間情報としては、主にグリニッジ標準時間（Ｇｒｅｅｎｗｉｃｈ  Ｍｅａｎ  Ｔｉｍｅ）を使用し、場合によって、別途に設定された標準時間を使用することもある。
【００４３】
制御部１４０は、復調された標準時間情報と第２メモリ部１６０に保存された時差情報とを通じて該当する国家／地域の現在時間を設定しうる。
また、制御部１４０は、該当国家／地域の時差情報抽出が完了すれば、これ以上、時差情報を抽出する過程を経ずに、第２メモリ部１６０に保存された時差情報を通じて現在時間を設定しうる。
【００４４】
他の実施例として、本発明の実施例に係る時間情報処理装置は、図４に示されたように、放送信号を受信するチューナー部２１０と、放送信号に含まれた標準時間情報を復調する復調部２２０と、所定の伝送媒体を通じて該当国家／地域の現在時間情報を受信する現在時間情報受信部２３０と、受信された現在時間情報と復調された標準時間情報とを通じて該当する国家／地域の時差情報を算出し、算出された時差情報と復調された標準時間情報とを通じて現在時間を設定する制御部２４０とを含みうる。
【００４５】
また、算出された時差情報を保存する第３メモリ部２５０と、制御部２４０により設定された現在時間をディスプレイするディスプレイ部２６０をさらに含みうる。
【００４６】
この際、前記第３メモリ部２５０は、第１メモリ部１３０及び第２メモリ部１４０と同様にキャッシュ、ＲＯＭ、ＰＲＯＭ、ＥＰＲＯＭ、ＥＥＰＲＯＭ、フラッシュ、ＳＲＡＭ及びＤＲＡＭのような形の装置が含まれうるが、これに限定されるものではない。
【００４７】
本実施例では所定の国家／地域の現在時間情報が受信される伝送媒体が電源ケーブルである場合を例として説明する。
【００４８】
ここで、標準時間情報は、前記放送信号のトランスポートストリームパケットのＰＩＤ（Ｐａｃｋｅｔ  ＩＤｅｎｔｉｆｉｅｒ）内にある時間情報テーブル（Ｔｉｍｅ  Ｄａｔａ  Ｔａｂｌｅ）に含まれうる。
【００４９】
したがって、復調部２２０は、時間情報テーブルに含まれる情報を復調して前記標準時間情報を得られる。
このような標準時間情報としては、主にグリニッジ標準時間（Ｇｒｅｅｎｗｉｃｈ  Ｍｅａｎ  Ｔｉｍｅ）を使用し、場合によって、別途に設定された標準時間を使用することもある。
【００５０】
制御部２４０は、算出された時差情報を第３メモリ部２５０に保存し、以後復調された標準時間情報と第３メモリ部２５０に保存された時差情報とを通じて現在時間を設定しうる。
また、制御部２４０は、該当国家／地域の時差情報算出が完了すれば、これ以上、時差情報の算出過程を経ずに、第３メモリ部２５０に保存された時差情報と復調部２２０により復調された標準時間情報とを通じて現在時間を設定しうる。
【００５１】
前記のように構成される本発明の実施例に係る時間情報処理装置の動作を説明すれば、次の通りである。
本発明の実施例に係る時間情報処理方法は、時間テーブルを用いて現在時間を設定する方法と現在時間情報を受信して現在時間を設定する方法とを例として説明する。
【００５２】
まず、時間テーブルに含まれた時差情報を用いて現在時間を設定する方法は、図５に示されたように、ユーザがユーザ入力部１５０を通じて該当する国家／地域を選択する（Ｓ１１０）。
この際、制御部１４０は、選択された国家／地域を判断し、該当する時差情報を第１メモリ部１３０に保存された時間テーブルから抽出する（Ｓ１２０）。
【００５３】
制御部１４０は、ユーザの選択以外にも、該当国家／地域に合わせてセットされた装備の場合、セット値を通じて国家／地域を判断しても良い。
この際、時間テーブルは、図６に示されたように、各国家／地域情報３１０と該当国家／地域の時差情報３２０とを含む。
【００５４】
したがって、制御部１４０は、判断された国家／地域による時差情報を時間テーブルから抽出しうる。
また、制御部１４０は、抽出された時差情報を第２メモリ部１６０に保存する（Ｓ１３０）。
【００５５】
次いで、放送信号がチューナー部１１０に受信されれば、復調部１２０は受信された放送信号に含まれた標準時間情報を復調する（Ｓ１４０）。
制御部１４０は、復調された標準時間情報と第２メモリ部１６０に保存された時差情報とを通じて現在時間を設定する（Ｓ１５０）。
【００５６】
制御部１４０は設定された現在時間をユーザが確認できるようにディスプレイ部６００を通じてディスプレイさせうる。
【００５７】
また、制御部１４０は、該当国家／地域の時差情報抽出が完了すれば、これ以上該当する国家／地域の時差情報を抽出する過程（Ｓ１１０、Ｓ１２０）を経ずに、第２メモリ部１６０に保存された時差情報を通じて現在時間を設定しうる。
この際、現在時間を設定する過程（Ｓ１５０）は、放送信号の復調がなされる度に、反復的に実行されうる。
【００５８】
他の実施例として、所定の伝送媒体を通じて受信された該当国家／地域の現在時間情報を通じて現在時間を設定する方法は、図７に示されたように、まず現在時間情報受信部２３０を通じて所定国家／地域の現在時間情報を受信する（Ｓ２１０）。
【００５９】
本実施例では所定国家／地域の現在時間情報が受信される伝送媒体が電源ケーブルである場合を例として説明する。
【００６０】
次いで、チューナー部２１０を通じて放送信号が受信されれば、復調部２２０は受信された放送信号に含まれた標準時間情報を復調する（Ｓ２２０）。
【００６１】
制御部２４０は、復調部２２０により復調された標準時間情報と現在時間情報受信部２３０に受信された現在時間情報との差を通じて該当国家／地域の時差情報を算出する（Ｓ２３０）。
また、制御部２４０は算出された時差情報を第３メモリ部２５０に保存する（Ｓ２４０）。
【００６２】
制御部２４０は復調された標準時間情報と第３メモリ部２５０に保存された時差情報とを通じて現在時間を設定する（Ｓ２５０）。
制御部２４０は、設定された現在時間をユーザが確認できるようにディスプレイ部２６０を通じてディスプレイさせうる。
【００６３】
また、制御部２４０は、該当国家／地域の時差情報算出が完了すれば、これ以上該当する国家／地域の時差情報を抽出する過程（Ｓ２１０、Ｓ２２０、Ｓ２３０）を経ず、第３メモリ部２５０に保存された時差情報を通じて現在時間を設定しうる。
この際、現在時間を設定する過程（Ｓ２５０）は、放送信号の復調がなされる度に反復的に実行されうる。
【００６４】
また、他の実施例として前述したような制御部１４０、２４０は、前記標準時間情報と時差情報とを通じて現在時間を設定した時、サマータイムなどの時間変更が要求される場合、ユーザの入力選択値によって前記設定された現在時間に１時間を増加させるか、減少させて容易に現在時間を設定しうる。
【００６５】
以上、本発明による時間情報処理装置及びその方法を例示された図面を参照として説明したが、本発明は本明細書に開示された実施例及び図面によって限定されるものではなく、その発明の技術思想範囲内で当業者により多様に変形可能であることはいうまでもない。
【産業上の利用可能性】
【００６６】
本発明は、国家／地域によって自動で現在時間を設定しうる時間情報処理装置及び方法に関する技術分野に好適に適用されうる。
【図面の簡単な説明】
【００６７】
【図１】従来の技術に係る時間情報処理装置が示された図面である。
【図２】従来の技術に係る時間情報処理方法が示された図面である。
【図３】本発明の実施例に係る時間テーブルを用いた時間情報処理装置が示された図面でる。
【図４】本発明の実施例に係る国家／地域の現在時間情報を用いた時間情報処理方法が示された図面である。
【図５】本発明の実施例に係る時間テーブルを用いた時間情報処理方法が示された図面である。
【図６】本発明の実施例に係る時間テーブルが示された図面である。
【図７】本発明の実施例に係る国家／地域の現在時間情報を用いた時間情報処理方法が示された図面である。
【符号の説明】
【００６８】
１１０        チューナー部
１２０        復調部
１３０        第１メモリ部
１４０        制御部
１５０        ユーザ入力部
１６０        第２メモリ部
１７０        ディスプレイ部
２１０        チューナー部
２２０        復調部
２３０        現在時間情報受信部
２４０        制御部
２５０        第３メモリ部
２６０        ディスプレイ部
【図１】
2005315881.tif 000003
【図２】
2005315881.tif 000004
【図３】
2005315881.tif 000005
【図４】
2005315881.tif 000006
【図５】
2005315881.tif 000007
【図６】
2005315881.tif 000008
【図７】
2005315881.tif 000009